(57)【要約】【課題】無効化したカードのトレーサビリティを向上できるカード無効化装置を提供する。【解決手段】無効化装置１０は、検査で不合格となった不合格カードＣ１が入れられるカード入口１１と、不合格カードに対して無効化加工する無効化加工部１４と、カード入口１１に入れられた不合格カードの情報を取得するリーダ１３、撮像部１５と、リーダ１３、撮像部１５が取得したカード情報を、記憶部２０に記憶する制御部２１と、を備える。【選択図】図２
2015170105.tif 000002
【特許請求の範囲】
【請求項１】
検査で不合格となった不合格カードが入れられるカード入口と、
不合格カードに対して無効化加工する無効化加工部と、
前記カード入口に入れられた不合格カードの情報を取得するカード情報取得部と、
前記カード情報取得部が取得したカード情報を、記憶部に記憶する制御部と、
を備えるカード無効化装置。
【請求項２】
請求項１に記載のカード無効化装置において、
不合格カードは、識別情報を記憶する識別情報記憶部を備え、
前記カード情報取得部は、前記無効化加工部の前に配置され、不合格カードの識別情報記憶部から前記識別情報を読み取るリーダを備え、
前記制御部は、前記リーダによって読み取られた不合格カードの識別情報を、前記記憶部に記憶し、
前記無効化加工部は、前記無効化加工として、不合格カードの前記識別情報記憶部を、前記カード情報取得部による読み取りができない状態に加工すること、
を特徴とするカード無効化装置。
【請求項３】
請求項１又は請求項２に記載のカード無効化装置において、
前記カード情報取得部は、前記無効化加工部の後に配置され、無効化された不合格カードの外観を撮像する撮像部を備え、
前記無効化加工部は、前記無効化加工として、不合格カードの外観を変化させ、
前記制御部は、前記無効化加工部によって変化された不合格カードの前記撮像部によって撮像された外観の撮像情報を、前記記憶部に記憶すること、
を特徴とするカード無効化装置。
【請求項４】
請求項１から請求項３のいずれかに記載のカード無効化装置において、
前記カード情報取得部の前に配置され、前記カード入口に入れられた不合格カードが無効化処理済であるか否かを検出する処理済カード検出部と、
前記カード入口に入れられたカードを排出する排出部とを備え、
前記制御部は、前記処理済カード検出部の出力に基づいて、前記カード入口から入れられた不合格カードが無効化処理済であると判定した場合には、前記排出部を駆動して、不合格カードを無効化処理することなく排出すること、
を特徴とするカード無効化装置。
【請求項５】
請求項１から請求項４のいずれかに記載のカード無効化装置において、
前記無効化加工部及び前記カード情報取得部の設置空間の開口を開閉する蓋部と、
前記蓋部が開状態であることを検出する蓋検出部とを備え、
前記制御部は、前記蓋検出部の出力に基づいて、前記蓋部が開状態であると判定した場合には、不合格カードの無効化処理を停止すること、
を特徴とするカード無効化装置。
【請求項６】
請求項１から請求項５のいずれかに記載のカード無効化装置において、
不合格カードは、識別情報を記憶する識別情報記憶部を備え、
このカード無効化装置は、１度の処理において、複数の不合格カードを連続して無効化処理するものであり、
前記記憶部の情報に基づいて、前記１度の処理において無効化した複数の不合格カードの枚数及び前記識別情報と、前記１度の処理を識別する処理識別情報とを印刷する印刷部を備えること、
を特徴とするカード無効化装置。
【発明の詳細な説明】
【技術分野】
【０００１】
本発明は、発行したカードを無効化するカード無効化装置に関するものである。
【背景技術】
【０００２】
従来、カードを無効化して格納し、新たにカードを発行するカード発行装置があった（例えば特許文献１）。
しかし、従来の装置は、無効化したカードのトレーサビリティが低かった。
【先行技術文献】
【特許文献】
【０００３】
【特許文献１】特開２０１３−２３０６４７号公報
【発明の概要】
【発明が解決しようとする課題】
【０００４】
本発明の課題は、無効化したカードのトレーサビリティを向上できるカード無効化装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、検査で不合格となった不合格カードが入れられるカード入口（１１）と、不合格カードに対して無効化加工する無効化加工部（１４）と、前記カード入口に入れられた不合格カードの情報を取得するカード情報取得部（１３，１５）と、前記カード情報取得部が取得したカード情報を、記憶部（２０）に記憶する制御部（２１）と、を備えるカード無効化装置である。
・第２の発明は、第１の発明のカード無効化装置において、不合格カードは、識別情報を記憶する識別情報記憶部（Ｃ１ａ）を備え、前記カード情報取得部は、前記無効化加工部（１４）の前に配置され、不合格カードの識別情報記憶部から前記識別情報を読み取るリーダ（１３）を備え、前記制御部（２１）は、前記リーダによって読み取られた不合格カードの識別情報を、前記記憶部（２０ａ）に記憶し、前記無効化加工部は、前記無効化加工として、不合格カードの前記識別情報記憶部を、前記カード情報取得部による読み取りができない状態に加工すること、を特徴とするカード無効化装置である。
・第３の発明は、第１又は第２の発明のカード無効化装置において、前記カード情報取得部は、前記無効化加工部（１４）の後に配置され、無効化された不合格カードの外観を撮像する撮像部（１５）を備え、前記無効化加工部は、前記無効化加工として、不合格カードの外観を変化させ、前記制御部（２１）は、前記無効化加工部によって変化された不合格カードの前記撮像部によって撮像された外観の撮像情報（１６）を、前記記憶部（２０ｂ）に記憶すること、を特徴とするカード無効化装置である。
・第４の発明は、第１から第３のいずれかの発明のカード無効化装置において、前記カード情報取得部（１３，１５）の前に配置され、前記カード入口（１１）に入れられた不合格カードが無効化処理済であるか否かを検出する処理済カード検出部（１２）と、前記カード入口に入れられたカードを排出する排出部（１１）とを備え、前記制御部（２１）は、前記処理済カード検出部の出力に基づいて、前記カード入口から入れられた不合格カードが無効化処理済であると判定した場合には、前記排出部を駆動して、不合格カードを無効化処理することなく排出すること、を特徴とするカード無効化装置である。
・第５の発明は、第１から第４のいずれかの発明のカード無効化装置において、前記無効化加工部（１４）及び前記カード情報取得部（１３，１５）の設置空間（１０ｂ）の開口を開閉する蓋部（１８）と、前記蓋部が開状態であることを検出する蓋検出部（１８ｂ）とを備え、前記制御部（２１）は、前記蓋検出部の出力に基づいて、前記蓋部が開状態であると判定した場合には、不合格カードの無効化処理を停止すること、を特徴とするカード無効化装置である。
・第６の発明は、第１から第５のいずれかの発明のカード無効化装置において、不合格カードは、識別情報を記憶する識別情報記憶部（Ｃ１ａ）を備え、このカード無効化装置は、１度の処理において、複数の不合格カードを連続して無効化処理するものであり、前記記憶部（２０）の情報に基づいて、前記１度の処理において無効化した複数の不合格カードの枚数及び前記識別情報と、前記１度の処理を識別する処理識別情報とを印刷する印刷部（１９）を備えること、を特徴とするカード無効化装置である。
【発明の効果】
【０００７】
本発明によれば、無効化したカードのトレーサビリティを向上できるカード無効化装置を提供できる。
【図面の簡単な説明】
【０００８】
【図１】第１実施形態の管理システム１の構成を説明する図である。
【図２】第１実施形態の無効化装置１０の構成を説明する図である。
【図３】第１実施形態の管理伝票３０を説明する図である。
【図４】第１実施形態の二重発行判定システム４０の構成を説明する図である。
【図５】第１実施形態の二重発行判定システム４０の動作を説明するフローチャートである。
【図６】第１実施形態の発行履歴記憶部６２ａの発行履歴、無効履歴記憶部６２ｂの無効化履歴を説明する図である。
【図７】第２実施形態の発行履歴記憶部の発行履歴、無効履歴記憶部の無効化履歴を説明する図である。
【発明を実施するための形態】
【０００９】
（第１実施形態）
以下、図面等を参照して、本発明の第１実施形態について説明する。
図１は、第１実施形態の管理システム１の構成を説明する図である。
管理システム１は、主にカード製造メーカ等で運用されるものである。管理システム１は、工場内において、発行処理したカードのうち不合格になった不合格カードＣ１を、無効化して無効化カードＣ２とし、これを廃棄するまでの過程を管理するものである。また、管理システム１は、無効化カードＣ２の代替えのカードＣ３を新たに再発行するまでの過程を管理する。
カードには、情報を記憶する部分（磁気ストライプ、ＩＣチップ、エンボス等）、外観に関する部分（ホログラム、券面の印刷等）等を有する。不合格カードＣ１は、発行されたカード後の検査工程において、例えば、記憶情報の不良や外観不良によって、不合格になったもの等である。
【００１０】
［無効化装置１０］
管理システム１は、無効化装置１０を備える。
（無効化装置１０の構成）
図２は、第１実施形態の無効化装置１０の構成を説明する図である。
図３は、第１実施形態の管理伝票３０を説明する図である。
図２に示すように、無効化装置１０は、カード入口１１、処理済カード検出部１２、リーダ１３（カード情報取得部）、無効化加工部１４、撮像部１５（カード情報取得部）、カード出口１７、蓋部１８、印刷部１９、記憶部２０、制御部２１を備える。
カード入口１１、処理済カード検出部１２、リーダ１３、無効化加工部１４、撮像部１５、カード出口１７は、カードの流し方向Ｘの上流側Ｘ１からこの順で配置されている。リーダ１３、無効化加工部１４、撮像部１５は、無効化装置１０のケース１０ａの内部の設置空間１０ｂに収容されている。ケース１０ａの内部では、カードは、ローラ等の搬送装置（図示せず）によって、上流側Ｘ１から下流側Ｘ２に搬送される。
【００１１】
前述したように、不合格カードＣ１は、磁気ストライプＣ１ａ（識別情報記憶部）を備える。
実施形態では、磁気ストライプＣ１ａに記憶されたカード識別情報Ｃ１ｄを、カードを識別する情報として利用する。なお、不合格カードＣ１は、識別情報を記憶する部分として、磁気ストライプＣ１ａの他に、接触ＩＣチップＣ１ｂ（図２には接触端子を図示する）、非接触ＩＣチップ（図示せず）を備える。
実施形態では、磁気ストライプＣ１ａに記憶されたカード識別情報Ｃ１ｄを、カード無効化時の管理に利用することにより、ほとんどの種類のカードの無効化に対応できる。一般に、磁気ストライプＣ１ａは、ほとんどの種類のカードが備えているためである。
【００１２】
カード入口１１は、不合格となった不合格カードＣ１が入れられる挿入口である。
カード入口１１は、不合格カードＣ１をケース１０ａの内部に導くローラ１１ａを備える。
処理済カード検出部１２は、リーダ１３の前に配置され、カード入口１１に投入された不合格カードＣ１が無効化処理済であるか否かを検出する装置である。
なお、不合格カードＣ１が無効化処理済みであった場合には、ローラ１１ａが反転することにより、その不合格カードＣ１は、カード入口１１から排出される。これにより、カード入口１１は、カード入口１１に入れられたカードを排出する排出部を兼用するようになっている。
【００１３】
処理済カード検出部１２は、カード入口１１に挿入されたカードを撮像する撮像装置を備える。処理済カード検出部１２は、撮像装置によって撮像された撮像情報を画像解析することにより、カードに無効孔１４ｂ（後述する）が設けられているか否かを判定する。
リーダ１３は、不合格カードＣ１の磁気ストライプＣ１ａからカード識別情報Ｃ１ｄを読み取る磁気リーダである。
【００１４】
無効化加工部１４は、不合格カードＣ１に対して無効化加工する加工装置である。
無効化加工部１４は、無効化加工として、パンチ１４ａで６つの無効孔１４ｂを、不合格カードＣ１に対して設けることによって、不合格カードＣ１の外観を変化させる。これにより、不合格カードＣ１の識別情報記憶部２０ａは、リーダ１３による読み取りができない状態に加工される。
無効化加工部１４は、６つの無効孔１４ｂを、磁気ストライプＣ１ａ、接触ＩＣチップＣ１ｂ、ホログラムＣ１ｃ、非接触ＩＣチップ（図示せず）を含むように加工する。このため、無効化加工後には、リーダ１３等は、磁気ストライプＣ１ａ、接触ＩＣチップＣ１ｂ、非接触ＩＣチップからカード識別情報Ｃ１ｄを読み取ることはできないし、また、ホログラムＣ１ｃは、他のカードに取り付けることもできない。実施形態では、この無効化したカードを、無効化カードＣ２という。
【００１５】
撮像部１５は、無効化カードＣ２の撮像情報１６（１６Ｄ，１６Ｕ）を取得する。つまり、撮像部１５は、無効化カードＣ２の外観を撮像する。
撮像部１５は、下撮像部１５Ｄ、上撮像部１５Ｕを備える。
下撮像部１５Ｄ、上撮像部１５Ｕは、無効化カードＣ２の下面の撮像情報１６Ｄ、無効化カードＣ２の上面の撮像情報１６Ｕを、それぞれ取得する。これにより、無効化装置１０は、無効孔１４ｂを不合格カードＣ１に設けた履歴を残すことができるし、また、カードの上面及び下面のいずれかにのみ外観不良があった場合でもこれを履歴として残すことができる。
【００１６】
カード出口１７は、無効化カードＣ２を下流側Ｘ２に出すための出口である。カード出口１７は、無効化カードＣ２をケース１０ａの外部に搬出するめのローラ１７ａ等を備える。なお、カード出口１７は、搬出された無効化カードＣ２を貯留するスタッカを備えていてもよい。
【００１７】
蓋部１８は、ケース１０ａの開口を開閉する部材である。蓋部１８は、ケース１０ａに対して、ヒンジ１８ａによって回転可能に取り付けられる（回転方向θ参照）。蓋部１８は、ケース１０ａの内部の設置空間１０ｂの開口を開閉する。蓋部１８が閉じた状態では、設置空間１０ｂが閉じられた状態になり、作業者等は、ケース１０ａの外部からケース１０ａの内部に手を入れたりすることはできない。
蓋検出部１８ｂは、蓋部１８が開状態であることを検出する検出部等である。蓋検出部１８ｂは、光学センサ、リミットスイッチ等を備える。
印刷部１９は、管理伝票３０（図３参照）を印刷する印刷装置である。印刷部１９は、レーザビームプリンタ等である。
【００１８】
記憶部２０は、無効化装置１０の動作に必要なプログラム、情報等を記憶するためのハードディスク等の記憶装置である。
記憶部２０は、識別情報記憶部２０ａ、撮像情報記憶部２０ｂを備える。
識別情報記憶部２０ａは、無効化カードＣ２のカード識別情報Ｃ１ｄを記憶する。
撮像情報記憶部２０ｂは、無効化カードＣ２の撮像情報１６を記憶する。
【００１９】
制御部２１は、無効化装置１０の動作に必要な演算処理をしたり、無効化装置１０を統括的に制御するための装置である。制御部２１は、例えば、ＣＰＵ（中央処理装置）等から構成される。
制御部２１は、記憶部２０に記憶された各種プログラムを適宜読み出して実行することにより、実施形態の各種機能を実現している。
制御部２１の詳細な処理は、後述する。
【００２０】
（無効化装置１０の動作）
無効化装置１０は、以下の順序で無効化処理を行う。
（♯１）カード挿入工程
作業者等によって、不合格カードＣ１がカード入口１１に挿入されると、制御部２１は、ローラ１１ａを駆動してカード入口１１内部に導く。作業者等は、不合格カードＣ１を１枚ずつ連続して、カード入口１１に挿入する。図２は、５枚の不合格カードＣ１が連続して挿入される例である。
【００２１】
（♯２）処理済カード確認工程
処理済カード検出部１２は、カード入口１１から搬送された不合格カードＣ１の撮像情報を解析して、無効化処理済みであるか否かを判定する。処理済カード検出部１２は、無効孔１４ｂが設けられている場合に、無効化処理済みであると判定する。処理済カード検出部１２は、判定結果を制御部２１に送信する。
制御部２１は、この判定結果が未処理であった場合には、判定した不合格カードＣ１をリーダ１３へと搬送し、また、次にカード入口１１に挿入された不合格カードＣ１を、ケース１０ａの内部に導く。一方、制御部２１は、この判定結果が無効化処理済であった場合（つまり無効化カードＣ２であった場合）には、ローラ１１ａを反転制御して、判定したカードを逆側（つまり上流側Ｘ１）に搬送して、カード入口１１から排出する。なお、この場合には、制御部２１は、カード入口１１に新たに挿入された無効化カードＣ２を、ケース１０ａの内部に導くことはない。
【００２２】
これにより、無効化装置１０は、既に無効化された無効化カードＣ２が入れられた場合には、これを無効化処理することなく排出できる。そのため、無効化処理したことを、不正に残すこと（例えば、同一の不合格カードＣ１についての二重の無効化履歴）を抑制できる。
【００２３】
（♯３）リーダ読み取り処理
制御部２１は、リーダ１３を制御して、不合格カードＣ１の磁気ストライプＣ１ａからカード識別情報Ｃ１ｄ（図２の例では、カード識別情報Ｃ１ｄが「００１０」）を読み取り、そのカード識別情報Ｃ１ｄを記憶部２０に記憶する。また、制御部２１は、このカード識別情報Ｃ１ｄを、判定装置６０（後述する）に送信する。
なお、磁気ストライプＣ１ａは、無効化加工前ではカード識別情報Ｃ１ｄを読み取れる状態であるが、無効化加工後にはカード識別情報Ｃ１ｄを読み取れない状態になる。リーダ１３は、無効化加工部１４の前に配置されているので、カード識別情報Ｃ１ｄを読み取ることができる。
（♯４）無効化加工
制御部２１は、リーダ読み取り処理後の不合格カードＣ１が無効化加工部１４に送られてくると、無効化加工部１４を制御して、その不合格カードＣ１に無効孔１４ｂを空ける。
【００２４】
（♯５）撮像処理
制御部２１は、無効化加工後の無効化カードＣ２が撮像部１５に送られてくると、撮像部１５を制御して、その上面及び下面の外観の撮像情報１６を取得する。制御部２１は、撮像情報１６を撮像情報記憶部２０ｂに記憶する。
（♯６）搬出処理
制御部２１は、撮像処理後の無効化カードＣ２がカード出口１７に送られてくると、ローラ１７ａを制御して、その無効化カードＣ２をケース１０ａの外部に搬出する。
【００２５】
（無効化停止判断処理）
なお、これまでの処理において、制御部２１は、蓋検出部１８ｂの出力に基づいて、蓋部１８が開けられていたと判断すると、各処置を停止する。
これにより、無効化装置１０は、無効化処理の途中で、不合格カードＣ１を抜き取ったりすること等の不正を抑制できる。
【００２６】
（♯７）伝票印刷処理
制御部２１は、５枚全ての無効化カードＣ２を、カード出口１７から搬出すると、この１度の処理で無効化した５枚の不合格カードＣ１のカード識別情報Ｃ１ｄを、識別情報記憶部２０ａから読み出す。
図３に示すように、制御部２１は、印刷部１９を制御して、これらのカード識別情報Ｃ１ｄと、処理識別情報３１と、この１度の処理で無効化したカード枚数３２とを、管理伝票３０に印刷して出力する。処理識別情報３１は、これら５枚の不合格カードＣ１の無効化処理を識別する情報である。処理識別情報３１としては、例えば、「日付−その日付の無効化処理の回数（２０１３／１２／０５−００４等）」等といった書式を用いる。
これにより、印刷部１９は、識別情報記憶部２０ａの情報に基づいて、１度の処理において無効化した不合格カードＣ１の枚数（５枚）の情報及びカード識別情報Ｃ１ｄと、１度の処理を識別する処理識別情報３１とを含む管理伝票３０を印刷できる。
【００２７】
管理者等は、１日に複数回の無効化処理をする場合でも、この管理伝票３０によって、各処理を、処理識別情報３１と、各処理で無効化した不合格カードＣ１とを対応付けて管理できる。
なお、管理伝票３０には、再出庫、再発行、保管、廃棄（破砕）と記載された欄３３ａ〜３３ｂを有する。
これらの欄３３ａ〜３３ｂは、無効化カードＣ２の廃棄、代替のカードの再発行の管理のために使用される。
【００２８】
以上説明したように、本実施形態の無効化装置１０は、無効化した不合格カードＣ１を、そのカード識別情報Ｃ１ｄを履歴として記憶することにより、無効化履歴のトレーサビィリティを向上できる。また、無効化装置１０は、無効化履歴を記憶することにより、例えば、不合格カードＣ１を無効化していないにも関わらず無効化したと偽って、工場外部に持ち出す等の不正を抑制できる。さらに、例えば、市場において、無効化した不合格カードＣ１と同一のカード識別情報Ｃ１ｄを有する不正カードが市場で発見された場合等でも、無効化履歴を確認することにより、カード製造メーカ側では、間違いなく無効化処理されていたことを確認できる。
【００２９】
また、無効化装置１０は、カード識別情報Ｃ１ｄに加えて、無効化カードＣ２の外観の撮像情報１６を記憶するので、不合格カードＣ１を確実に無効化処理した履歴を残すことができる。
【００３０】
［管理伝票３０］
管理伝票を用いて、無効化カードＣ２の廃棄、代替のカードの再発行を管理する工程について説明する。
（♯１０）出庫工程
図１に示すように、作業者等は、無効化装置１０に無効にされた無効化カードＣ２と、管理伝票３０とを出庫部署３５に渡す。出庫部署３５は、発行前のカードＣ３（いわゆる生カード）を保管し、また、出庫する部署である。出庫部署３５は、発行前のカードＣ３を作業者等に渡すと、管理伝票３０の再出庫の欄３３ａ（図３参照）に日付印を押す。
【００３１】
（♯１１）再発行工程
作業者等は、無効化カードＣ２、管理伝票３０、カードＣ３を発行部署３６に渡す。発行部署３６は、発行装置５０によるカード再発行が終了すると、管理伝票３０の再発行の欄３３ｂ（図３参照）に日付印を押す。再発行されたカードは、出荷される。
【００３２】
（♯１２）保管工程
作業者等は、無効化カードＣ２、管理伝票３０を保管部署３７に渡す。保管部署３７は、無効化カードＣ２を受け取ると、管理伝票３０の保管の欄３３ｃ（図３参照）に日付印を押す。保管部署３７は、無効化カードＣ２がある程度のまとまった数量になるまで保管する。
【００３３】
（♯１３）廃棄工程
無効化カードＣ２がある程度の保管数量になると、作業者等は、無効化カードＣ２、管理伝票３０を廃棄部署３８に渡す。この場合には、複数の管理伝票３０及び無効化カードＣ２が複数組みになっている。廃棄部署３８は、無効化カードＣ２を廃棄装置３８ａで破砕すると、管理伝票３０の廃棄の欄３３ｄ（図３参照）に日付印を押す。
【００３４】
カード廃棄後には、管理伝票３０は、管理部門（図示せず）によって保管される。管理伝票３０は、カード識別情報Ｃ１ｄ、枚数３２、各工程の日付を有するので、特定の無効化カードＣ２の履歴を残すことができる。これにより、無効化カードＣ２のトレーサビリティを向上できる。
このように、管理伝票３０は、無効化カードＣ２の管理、代替のカードの再発行の管理に使用することができる。
【００３５】
［二重発行判定システム４０］
管理システム１は、二重発行判定システム４０を備える。
（二重発行判定システム４０の構成）
図４は、第１実施形態の二重発行判定システム４０の構成を説明する図である。
二重発行判定システム４０は、発行装置５０、判定装置６０と、前述した無効化装置１０とを備える。発行装置５０及び判定装置６０の間と、無効化装置１０及び判定装置６０の間とは、それぞれＬＡＮケーブル等の通信網によって、通信可能に接続されている。
なお、発行装置５０、判定装置６０の各記憶部５２，６２は、各装置５０，６０の動作に必要なプログラム、情報等を記憶するためのハードディスク等の記憶装置である。
また、発行装置５０、判定装置６０の各制御部５３，６３は、各装置５０，６０の動作に必要な演算処理をしたり、各装置５０，６０を統括的に制御するための装置である。各制御部５３，６３は、例えば、ＣＰＵ等から構成される。各制御部５３，６３は、各記憶部５２，６２に記憶された各種プログラムを適宜読み出して実行することにより、実施形態の各種機能を実現している。
【００３６】
発行装置５０は、発行データに基づいて、カードを連続して発行する装置である。
発行装置５０は、発行部５１、記憶部５２、制御部５３を備える。
発行部５１は、発行前のカードに対して、発行データに基づいて、必要な情報（カード識別情報、カード所有者となる個人の個人情報等）を記憶させる装置である。
発行部５１は、磁気ライタ５１ａ、ＩＣチップライタ５１ｂを備える。
磁気ライタ５１ａは、発行前のカードの磁気ストライプ（図２に示す磁気ストライプＣ１ａ参照）にカード識別情報等を書き込む装置である。
ＩＣチップライタ５１ｂは、発行前のカードの接触ＩＣチップ（図２に示す接触ＩＣチップＣ１ｂ参照）、非接触ＩＣチップに、カード識別情報、暗号鍵の情報等を書き込む装置である。
【００３７】
記憶部５２は、発行データ記憶部５２ａを備える。
発行データ記憶部５２ａは、カード発行データを記憶する記憶領域である。カード発行データは、カード発行依頼者（クレジット会社等）からの発行依頼データ、カード発行依頼者のカード仕様等に基づいて、カード製造メーカのデータ生成装置（図示せず）が作成する。発行データ記憶部５２ａには、この作成された発行データが記憶される。
【００３８】
制御部５３は、発行制御部５３ａ、発行履歴送信部５３ｂを備える。
発行制御部５３ａは、発行データ記憶部５２ａのカード発行データを、１つずつ読み出して、発行部５１を制御して発行前のカードに１枚ずつ記憶させる。発行制御部５３ａは、この処理を連続して行うことにより、１度の処理において、複数枚のカードを連続して発行する。
発行履歴送信部５３ｂは、カード発行時に、磁気ストライプに記憶させるカード識別情報を、判定装置６０に送信する。発行履歴送信部５３ｂは、１枚のカード発行の都度、そのカードのカード識別情報を送信する。
【００３９】
判定装置６０は、報知部６１、記憶部６２、制御部６３を備える。
報知部６１は、カードが二重発行されたことを、作業者等に報知する装置である。報知部６１は、例えば、警告ランプ、ブザー、表示装置等である。表示装置を用いる場合には、画面に警告表示等をすればよい。
記憶部６２は、発行履歴記憶部６２ａ（発行情報記憶部）、無効履歴記憶部６２ｂ（無効情報記憶部）を備える。
発行履歴記憶部６２ａは、発行装置５０から受信したカード識別情報を、発行履歴として記憶する。
無効履歴記憶部６２ｂは、無効化装置１０から受信したカード識別情報を、無効化履歴として記憶する。
【００４０】
制御部６３は、履歴制御部６３ａ（発行履歴消去部）、判定部６３ｂを備える。
履歴制御部６３ａは、発行履歴、無効化履歴を、発行装置５０、無効化装置１０から受信して、発行履歴記憶部６２ａ、無効履歴記憶部６２ｂにそれぞれ記憶する。後述するように、履歴制御部６３ａは、無効化履歴に基づいて、発行履歴のカード識別情報を更新したりする。
判定部６３ｂは、カード発行毎に、発行履歴に基づいて、発行したカードが二重発行されたものか否かを判定する。
制御部６３の詳細な動作は、後述する。
【００４１】
（二重発行判定システム４０の動作）
図５は、第１実施形態の二重発行判定システム４０の動作を説明するフローチャートである。
図６は、第１実施形態の発行履歴記憶部６２ａの発行履歴、無効履歴記憶部６２ｂの無効化履歴を説明する図である。
なお、説明の前提として、二重発行判定システム４０は、「Ｓ１〜Ｓ９：ＹＥＳ」の処理を繰り返し行うことにより、既に、判定装置６０の発行履歴記憶部６２ａ内に、図６に示す発行履歴６２ａ−１が作成されているものとする。
ステップＳ（以下「Ｓ」という）１において、無効化装置１０の制御部２１は、リーダ１３で不合格カード（図２に示す不合格カードＣ１参照）のカード識別情報を読み取ると、そのカード識別情報を判定装置６０に送信する。
【００４２】
Ｓ２において、判定装置６０の制御部６３は、無効化装置１０から無効化した不合格カードのカード識別情報を受信したか否かを判定する。判定装置６０の制御部６３は、これを受信したと判定した場合には（Ｓ２：ＹＥＳ）、Ｓ３に進み、一方、受信していないと判定した場合には（Ｓ２：ＮＯ）、Ｓ５に進む。
Ｓ３において、判定装置６０の履歴制御部６３ａは、無効化装置１０から受信したカード識別情報を、無効履歴記憶部６２ｂに記憶して、無効化履歴として残す。
図６の無効化履歴６２ｂ−１は、無効化装置１０から受信したカード識別情報「００１０」を受信して、無効履歴記憶部６２ｂに記憶した例である。
また、判定装置６０の履歴制御部６３ａは、無効化装置１０から受信したカード識別情報を、発行履歴記憶部６２ａの発行履歴から削除し、発行履歴を更新する。なお、不合格カードは、既に発行済みのカードであるため、不合格カードの発行履歴は、発行履歴記憶部６２ａに、必ず存在することになる。
図６に示す処理♯２０は、発行履歴６２ａ−１からカード識別情報「００１０」を削除することにより、発行履歴６２ａ−２に更新した例である。
【００４３】
Ｓ４において、発行装置５０の発行制御部５３ａは、カード発行のために、カード識別情報をカードの磁気ストライプに書き込むと、発行履歴送信部５３ｂは、このカード識別情報を、判定装置６０に送信する。
【００４４】
Ｓ５において、判定装置６０の制御部６３は、発行したカードのカード識別情報を、発行装置５０から受信したか否かを判定する。判定装置６０の制御部６３は、これを受信したと判定した場合には（Ｓ５：ＹＥＳ）、Ｓ６に進み、一方、受信していないと判定した場合には（Ｓ５：ＮＯ）、Ｓ７に進む。
Ｓ６において、判定装置６０の履歴制御部６３ａは、発行装置５０から受信したカード識別情報を、発行履歴記憶部６２ａに記憶して、発行履歴を更新する。なお、この処理が繰り返されることにより、カード識別情報が発行履歴に順次追加されていく。
【００４５】
Ｓ７において、判定装置６０の判定部６３ｂは、発行履歴内のカード識別情報を参照して、同一のカード識別情報が２つ存在するか否かを判定する。判定部６３ｂは、存在すると判定した場合には（Ｓ７：ＹＥＳ）、Ｓ８に進み、一方、存在しないと判定した場合には（Ｓ７：ＮＯ）、Ｓ９に進む。
【００４６】
図６の発行履歴６２ａ−３は、発行履歴６２ａ−２の状態から、カードが再発行されて履歴が更新された例である。
発行履歴６２ａ−３に示すように、カード識別情報「００１０」のカードが新たに発行された場合には（♯２１）、カード識別情報「００１０」は、１つのみ存在する。この場合は、カード識別情報「００１０」が適切に無効化され（Ｓ１）、かつ、発行履歴から削除された（Ｓ３）状態である。この場合には、正常であるため、判定部６３ｂは、次の処理に進む（Ｓ７：ＮＯ）。
一方、発行履歴６２ａ−３に示すように、カード識別情報「００１５」が新たに発行された場合には（♯２２）、カード識別情報「００１５」は、２つ存在することになる。この状態は、既に発行したカード識別情報「００１５」のカードが無効化されることなく、同じカード識別情報「００１５」のカードが新たに発行された状態である。この状態は、同じカード識別情報「００１５」のカードが存在してしまい異常な状態であるので、判定部６３ｂは、報知処理に進む（Ｓ７：ＹＥＳ）。
【００４７】
Ｓ８において、判定部６３ｂは、同じカードが２つ存在すると判定して、報知部６１を駆動する。これにより、判定装置６０は、カード発行時に、二重発行されたことを、作業者等に報知できる。
作業者等は、報知部６１の報知に応じて、発行装置５０を操作して、発行処理を一旦停止後、発行されたカードを視認して、異常の原因を調査できる。作業者等は、この調査として、例えば、無効化装置１０の記憶部２０を参照して、無効化した不合格カードのカード識別情報、撮像情報の履歴を確認したりできる。
【００４８】
Ｓ９において、制御部６３は、処理を継続するか否か判定する。制御部６３は、この判定を、例えば、判定処理を停止するために、作業者等によって停止ボタン（図示せず）が操作されて否か等によって判定すればよい。作業者等は、停止ボタンの操作を、例えば、一度の処理における発行予定枚数のカードが発行された場合や、報知部６１が駆動に応じて発行処理を一旦停止した場合に、行うことができる。
制御部６３は、処理を継続すると判定した場合には（Ｓ９：ＹＥＳ）、Ｓ２からの処理を繰り返し、一方、処理を継続しないと判定した場合には（Ｓ９：ＮＯ）、Ｓ１０に進んで一連の処理を終了する。
【００４９】
以上説明したように、判定装置６０は、無効化装置１０の無効化履歴、発行装置５０の発行履歴に基づいて、二重発行の判定を行うことができる。このため、発行装置５０の既存の複雑なカード発行プログラム等をそのままに利用できる。
実施形態とは異なり、発行装置５０が発行時に二重発行したか否かを判定するシステムである場合には、既存の複雑なプログラムを改変する必要があるし、また、安定した動作できなくなるリスクがあるという問題がある。
これに対して、実施形態の二重発行判定システム４０は、発行装置５０が出力する発行データを利用するので、上記問題がないし、また、低コストでシステムを導入できる。
【００５０】
また、発行部５１は、連続してカード発行処理を行い、判定装置６０は、カード発行毎に、連続して二重発行判定処理を行う。このため、二重発行判定システム４０は、複数枚のカードを１度に大量に製造するシステムに対応できる。
【００５１】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図７は、第２実施形態の発行履歴記憶部の発行履歴、無効履歴記憶部の無効化履歴を説明する図である。
本実施形態は、判定装置の処理が、第１実施形態とは異なる。
発行履歴２６２ａ−１，２６２ａ−３に示すように、本実施形態の判定装置は、発行履歴から無効化カードのカード識別情報を削除する処理（図５の処理Ｓ３参照）を行わない。
また、本実施形態の判定装置の判定部（図４に示す判定部６３ｂ参照）は、第１実施形態のＳ７の処理の替わりに、以下のように、同一のカード識別情報について、発行履歴が無効化履歴よりも２つ大きい場合に、二重発行であると判定する。
【００５２】
図７の発行履歴２６２ａ−３は、発行履歴２６２ａ−１の状態から、カードが再発行されて履歴が更新された例である。
発行履歴２６２ａ−３に示すように、カード識別情報「００１０」のカードが新たに発行された場合には（♯２２１）、発行履歴記憶部２６２ａ−３内には、カード識別情報「００１０」は、２つ存在する。また、無効化履歴２６２ｂ−１内には、カード識別情報「００１０」が１つ存在する。このため、カード識別情報「００１０」については、発行履歴が無効化履歴よりも「１つ」大きい。この場合には、カード識別情報「００１０」のカードは、発行後に無効化加工され、その後に、再発行されたことになる。このため、判定部は、正常であると判定する。
【００５３】
一方、発行履歴２６２ａ−３に示すように、カード識別情報「００１５」が新たに発行された場合には（♯２２２）、発行履歴２６２ａ−３内には、カード識別情報「００１５」は、２つ存在する。また、無効化履歴２６２ｂ−１内には、カード識別情報「００１５」は、存在しない。このため、カード識別情報「００１０」については、発行履歴が無効化履歴よりも「２つ」大きい。この状態は、既に発行したカード識別情報「００１５」のカードが無効化されることなく、同じカード識別情報「００１５」のカードが新たに発行された状態である。この状態は、同じカード識別情報「００１５」のカードが複数存在し、異常な状態であるため、判定部は、報知処理に進む。
【００５４】
上記処理は、再発行回数が２回以上になった場合でも同様であり、つまり、同一のカード識別情報について、発行履歴が無効化履歴よりも「２つ」大きければ、二重発行であると判定することができる。
以上説明したように、本実施形態の判定装置は、発行履歴を無効化履歴に基づいて更新する処理をすることなく、カードの二重発行を判定することができる。
【００５５】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５６】
（変形形態）
（１）実施形態において、無効化装置は、カードの外観を変化させるために、無効孔を空ける例を示したが、これに限定されない。無効化装置は、例えば、カードに「無効」といった文字を印刷することにより、カードの外観を変化させてもよい。
【００５７】
（２）実施形態において、無効化装置は、無効化カードを搬送するために、カード入口、装置内部、カード出口等に、ローラを備える例を示したが、これに限定されない。無効化装置は、例えば、カードを掴む単軸ロボットを備え、これが、カード入口で不合格カードを掴んで、装置内部で搬送し、カード出口で離す形態にしてもよい。
この形態は、搬送時において、カードのエンボスやカードの反り等に起因するカード詰まり（搬送ジャム）を抑制できる。このため、この形態は、カード詰まりに応じて作業者等が装置内部に手を入れる機会を少なくできるので、装置内からカードを抜き取る等の不正を、より抑制できる。
【符号の説明】
【００５８】
Ｃ１…不合格カード    Ｃ１ａ…磁気ストライプ    Ｃ１ｂ…接触ＩＣチップ    Ｃ１ｄ…カード識別情報    Ｃ２…無効化カード    Ｃ３…カード    １０…無効化装置    １０ｂ…設置空間    １１…カード入口    １１ａ…ローラ    １２…処理済カード検出部    １３…リーダ    １４…無効化加工部    １４ａ…パンチ    １４ｂ…無効孔    １５…撮像部    １６…撮像情報    １７…カード出口    １７ａ…ローラ    １８…蓋部    １８ａ…ヒンジ    １８ｂ…蓋検出部    １９…印刷部    ２０…記憶部    ２０ａ…識別情報記憶部    ２０ｂ…撮像情報記憶部    ２１…制御部    ３０…管理伝票    ３１…処理識別番号    ４０…二重発行判定システム    ５０…発行装置    ５１…発行部    ５１ａ…磁気ライタ    ５１ｂ…ＩＣチップライタ    ５２…記憶部    ５２ａ…発行データ記憶部    ５３…制御部    ５３ａ…発行制御部    ５３ｂ…発行履歴送信部    ６０…判定装置    ６１…報知部    ６２…記憶部    ６２ａ−１…発行履歴記憶部    ６２ａ−１〜６２ａ−３，２６２ａ−１，２６２ａ−３…発行履歴    ６２ｂ…無効履歴記憶部    ６２ｂ−１，２６２ｂ−１…無効化履歴    ６３…制御部    ６３ａ…履歴制御部    ６３ｂ…判定部
【図１】
2015170105.tif 000003
【図２】
2015170105.tif 000004
【図３】
2015170105.tif 000005
【図４】
2015170105.tif 000006
【図５】
2015170105.tif 000007
【図６】
2015170105.tif 000008
【図７】
2015170105.tif 000009